(57)【要約】【課題】本発明は、使い勝手の良い取り扱いの容易なワイヤレスマウスを提供することを課題とする。【解決手段】マウス本体１０の非使用時は、受信ユニット２０をマウス本体１０に設けられた受信ユニット収納室１５に収納する。受信ユニット２０がマウス本体１０の受信ユニット収納室１５に収納されると、受信ユニット２０に設けられた接続端子部の先端がマイクロスイッチ１６を操作して内部回路部１８への給電が断たれる。受信ユニット収納室１５に収納されている受信ユニット２０を受信ユニット収納室１５より取り出し、その受信ユニット２０の接続端子部２２を情報処理機器３０のＵＳＢ端子３１に接続することによって、マイクロスイッチ１６がスイッチオン状態となって、マウス本体１０に動作用電源が供給され、マウス本体１０の操作に伴うマウス操作情報が受信ユニット２０に無線伝送される。【選択図】    図４
2004192046.tif 000002
【特許請求の範囲】
【請求項１】
マウス本体と、前記マウス本体の操作に伴うマウス操作信号を入力する機器に接続される受信部とにより構成されるワイヤレスマウスに於いて、
前記マウス本体に、前記受信部を出入自在に収納する収納部を設けたことを特徴とするワイヤレスマウス。
【請求項２】
前記マウス本体は、
前記受信部に前記マウス操作信号を送信する回路を含む内部回路部と、
前記内部回路部に動作用電源を供給する電池電源部と、
前記収納部に前記受信部が収納された際に、前記電池電源部から前記内部回路に供給される動作用電源を断つスイッチ部と
を具備したことを特徴とする請求項１記載のワイヤレスマウス。
【発明の詳細な説明】
【０００１】
【発明の属する技術分野】
本発明は、情報処理機器にポインティングデバイスとして用いられるワイヤレスマウスに関する。
【０００２】
【従来の技術】
従来、パーソナルコンピュータ等の情報処理機器にポインティングデバイスとして用いられるワイヤレスマウスは、マウス本体と、パーソナルコンピュータ等の情報処理機器に接続されてマウス本体の操作に伴うマウス操作信号を受信する受信部とにより構成され、それぞれ別個に管理されている（例えば、非特許文献１、特許文献１参照）。
【０００３】
しかしながら従来技術に於けるワイヤレスマウスは、マウスを使用しないとき、マウス本体と受信部とを個別に管理しなければならないことから、取り扱い並びに使い勝手が悪いという管理上の問題があった。
【０００４】
【非特許文献１】
ｈｔｔｐ：／／ｗｗｗ．ｐｃｃ．ｐａｎａｓｏｎｉｃ．ｃｏ．ｊｐ／ｐ３／ｐｒｏｄｕｃｔｓ／ｉｎ＿ｏｕｔ／ｍｏｕｓｅ／ｘｊｗｍ３ｓ／ｉｎｄｅｘ．ｈｔｍｌ
【０００５】
【特許文献１】
特開２０００−４７８１０
【０００６】
【発明が解決しようとする課題】
上述したように従来のワイヤレスマウスは、非使用状態にあるとき、マウス本体と受信部とを個別に管理しなければならないことから、取り扱い並びに使い勝手が悪いという管理上の問題があった。
【０００７】
本発明は上記実情に鑑みなされたもので、使い勝手の良い取り扱いの容易なワイヤレスマウスを提供することを目的とする。
【０００８】
更に、本発明は、マウス本体の無駄な電力消費を極力回避したワイヤレスマウスを提供することを目的とする。
【０００９】
【課題を解決するための手段】
本発明に係るワイヤレスマウスは、当該マウスを使用するパーソナルコンピュータ等の情報処理機器にインタフェース接続される受信部をマウス本体内に収納できる構成としたことを特徴とする。更に、受信部がマウス本体に収納された際に、マウス本体内の回路動作電源を自動的に遮断する回路を具備したことを特徴とする。
【００１０】
即ち、本発明は、マウス本体と、前記マウス本体の操作に伴うマウス操作信号を入力する機器に接続される受信部とにより構成されるワイヤレスマウスに於いて、前記マウス本体に、前記受信部を出入自在に収納する収納部を設けたことを特徴とする。
【００１１】
更に、本発明は、前記ワイヤレスマウスに於いて、前記マウス本体は、前記受信部に前記マウス本体の操作信号を送信する回路を含む内部回路部と、前記内部回路部に動作用電源を供給する電池電源部と、前記収納部に前記受信部が収納された際に、前記電池電源部から前記内部回路に供給される動作用電源を断つスイッチ部とを具備したことを特徴とする。
【００１２】
【発明の実施の形態】
以下、図面を参照して本発明の実施形態を説明する。ここでは、ワイヤレス光学式マウス（ワイヤレス・オプティカル・マウス）を例に実施形態を説明する。
【００１３】
図１は本発明の実施形態に於けるワイヤレス光学式マウスの構成を示す斜視図、図２は同マウスの内部の構成を示す平面図、図３は同マウスの一構成要素をなす受信ユニットの構成説明図、図４は同マウスの内部の回路構成を示す回路図である。
【００１４】
本発明の実施形態に於けるワイヤレス光学式マウスは、図示するように、マウス本体１０と、マウス本体１０の操作に伴うマウス操作信号を入力するパーソナルコンピュータ等の情報処理機器３０にインタフェース接続される受信ユニット２０とで構成される。
【００１５】
マウス本体１０の上面部には、内蔵電池の交換時に外されるカバー１１、およびスクロール機能を含んだ複数の操作ボタン１３ａ，１３ｂ，１３ｃが設けられる。更に、上記マウス本体１０の上面部には、上記カバー１１に設けた孔より露出して、開閉蓋操作ボタン１４が設けられる。
【００１６】
マウス本体１０の底面略中央部には、図示しないが、マウス本体１０の移動方向並びに移動量を検知するための発光素子（例えばＬＥＤ）および受光素子を用いたオプティカルセンサーが設けられる。
【００１７】
マウス本体１０の一側面部には、上記開閉蓋操作ボタン１４が押圧操作された際に、ヒンジ部Ｈ，Ｈを支点に開いて、上記受信ユニット２０を収納する受信ユニット収納室１５を開放する開閉蓋１２が設けられる。この開閉蓋１２の自由端には、開閉蓋操作ボタン１４に連動する係止爪１１ａとともにロック機構を構成する係止部１２ａが設けられる。
【００１８】
また、マウス本体１０の内部には、受信ユニット２０を収納する受信ユニット収納室１５が設けられるとともに、受信ユニット２０が収納された際に受信ユニット２０に当接してスイッチオフ状態となるマイクロスイッチ１６が設けられる。この際のマイクロスイッチ１６の動作については後述する。
【００１９】
更に、マウス本体１０の内部には、図４に示すように、電池を保持するバッテリィホルダー１７、およびこのバッテリィホルダー１７に保持された電池を動作用電源とする、オプティカルセンサーを含む内部回路部１８が設けられる。この内部回路部１８には、オプティカルセンサーの動作回路と、オプティカルセンサーの検知出力をもとにマウス本体１０の移動方向および移動量に伴うマウス操作情報、および上記スクロール機能を含んだ複数の操作ボタン１１ａ，１１ｂ，１１ｃの操作に伴うマウス操作情報を生成する回路とが実装される。
【００２０】
上記内部回路部１８は、図４に示すように、マイクロスイッチ１６を介して、バッテリィホルダー１７に保持された電池を動作用電源として受け、所定の動作を行う。この際、上記マイクロスイッチ１６は、通常のマウス使用状態下に於いて、スイッチオン状態にあり、受信ユニット２０がマウス本体１０に設けた受信ユニット収納室１５に収納されたマウス非使用状態下に於いて、スイッチオフ状態となる。この動作については後述する。
【００２１】
受信ユニット２０は、受信部本体２１と、パーソナルコンピュータ等の情報処理機器３０にインタフェース接続される接続端子部２２とで構成される。受信部本体２１には、受信アンテナを含む受信回路が内蔵される。接続端子部２２は、図３に示すように、上記受信部本体２１に、所定の回動量をもって回動自在に設けられる。この実施形態では、接続端子部２２を、情報処理機器３０のＵＳＢ端子（ＵＳＢポート）３１にインタフェース接続される、ＵＳＢコネクタを用いて構成している。
【００２２】
上記した図１乃至構成のワイヤレス光学式マウスに於いて、当該マウスの非使用時は、受信ユニット２０の接続端子部２２を情報処理機器３０のＵＳＢ端子から外し、その受信ユニット２０を、図１に示すように、接続端子部２２を先に向けて、マウス本体１０に設けられた受信ユニット収納室１５に収納する。この際の、受信ユニット２０がマウス本体１０の受信ユニット収納室１５に収納された状態を図２に示している。
【００２３】
このように、マウス本体１０の非使用時に、受信ユニット２０をマウス本体１０に設けた受信ユニット収納室１５に収納することにより、マウス本体と受信部とを別々に管理する必要が無く、ワイヤレスマウスの管理が容易化される。
【００２４】
上記受信ユニット２０がマウス本体１０の受信ユニット収納室１５に収納されると、受信ユニット２０に設けられた接続端子部２２の先端（ＵＳＢコネクタの先端）がマイクロスイッチ１６の操作端に当接し、マイクロスイッチ１６の操作端を押圧して、マイクロスイッチ１６をスイッチオフ状態にしている。従ってこの状態時に於いては、バッテリィホルダー１７に保持された電池の電源が内部回路部１８に供給されず、内部回路部１８への給電が断たれ、非使用時の無駄な電力消費が回避される。
【００２５】
更にこのマウス本体１０のスイッチオフ状態（非動作状態）に於いては、マウス本体１０の底面略中央部に設けられた発光素子（例えばＬＥＤ）が消灯状態にあり、ユーザが目視によりマウス本体１０の電源スイッチオフ状態（非動作状態）を容易に確認できる。
【００２６】
上記ワイヤレス光学式マウスを構成するマウス本体１０を使用する際は、マウス本体１０の受信ユニット収納室１５に収納されている受信ユニット２０を受信ユニット収納室１５より取り出し、その受信ユニット２０の接続端子部２２を情報処理機器３０のＵＳＢ端子３１に接続する。
【００２７】
これにより、マイクロスイッチ１６がスイッチオン状態となって、マウス本体１０に動作用電源が供給され、マウス本体１０の操作に伴うマウス操作情報が受信ユニット２０に無線伝送されて、ＵＳＢポートを介し情報処理機器３０に取り込まれる。
【００２８】
このマウス本体１０のスイッチオン状態（動作状態）に於いては、マウス本体１０の底面略中央部に設けられた発光素子（例えばＬＥＤ）が点灯状態にあることから、ユーザが目視によりマウス本体１０の電源スイッチオン状態（動作状態）を容易に確認できる。
【００２９】
更に上記マウス本体１０のスイッチオン状態（動作状態）に於いては、情報処理機器３０のＵＳＢ端子３１に接続された受信ユニット２０の受信部本体２１を、図３に示すように、任意の回動角をもって回動させて、受信状態を最上の状態に調整することが可能である。
【００３０】
尚、上記した実施形態に於いては、受信ユニット２０の接続インタフェースとしてＵＳＢインタフェースを例に採ったが、これに限らず、例えばＰＳ２インタフェース等、他の接続インタフェースであってもよい。また、上記実施形態に於いては、光学式のマウスを例に採ったが、これに限らず、他のセンサを用いた構成であっもよい。
【００３１】
【発明の効果】
以上詳記したように本発明によれば、使い勝手の良い取り扱いの容易なワイヤレスマウスが提供できる。
【図面の簡単な説明】
【図１】本発明の実施形態に於けるマウスの構成を示す斜視図。
【図２】上記実施形態に於けるマウスの構成を示す平面図。
【図３】上記実施形態に於ける受信ユニットの構成説明図。
【図４】上記実施形態に於けるマウスの内部の回路構成を示す回路図。
【符号の説明】
１０…マウス本体
１１…カバー
１２…開閉蓋
１３ａ，１３ｂ，１３ｃ…操作ボタン
１４…開閉蓋操作ボタン
１５…受信ユニット収納室
１６…マイクロスイッチ
１７…バッテリィホルダー
１８…内部回路部
２０…受信ユニット
２１…受信部本体
２２…接続端子部
【図１】
2004192046.tif 000003
【図２】
2004192046.tif 000004
【図３】
2004192046.tif 000005
【図４】
2004192046.tif 000006